(57)【特許請求の範囲】
【請求項１】
透液性の表面シートと裏面シートとの間に、吸収体が介在されるとともに、体液排出部位であって表面側の幅方向中央部に中高部を有する吸収性物品であって、
前記中高部は、シート材料を交互に山折りと谷折りとを繰り返しながら多重に折り返して蛇腹状とし、取付け状態で基端側となる折返し部において先端部同士を互いに接合し、かつ前記基端側となる折返し部から先端側となる折返し部に向かう面同士が互いに対面する部位において前記基端側となる折返し部から前記先端側となる折返し部に向かう中間点までの区間を接合し、
前記基端側となる折返し部の接合点から両側の外側面の中間までの範囲を表面シート上に接合し、吸収性物品の展開状態で、前記基端側となる折返し部の接合点を中心として複数の中空セルが放射状に連接した断面形状となるようにしたことを特徴とする吸収性物品。
【請求項２】
前記シート材料は、少なくとも吸収シートと表面材とを貼り合わせた積層シート材料とする請求項１記載の吸収性物品。
【請求項３】
前記シート材料は、透液性の不織布又はスポンジシートと、表面材とを貼り合わせたシート材料とする請求項１記載の吸収性物品。
【請求項４】
前記中高部の前端部及び後端部は長手方向に沿う傾斜面とされ、前記表面シートの中高部配置部位にスリット状の通孔を形成し、前記中高部の上部側のみを前記スリット状の通孔を通して外部に露出させてある請求項１〜３いずれかに記載の吸収性物品。
【請求項５】
前記中高部の前端部及び後端部は長手方向に沿う傾斜面とされ、前記表面シート及び吸収体の中高部配置部位にスリット状の通孔を形成し、前記中高部の上部側のみを前記スリット状の通孔を通して外部に露出させてある請求項１〜３いずれかに記載の吸収性物品。
【請求項６】
請求項１〜５いずれかに記載の吸収性物品を幅方向中央位置で長手方向に沿って表面シート同士が対面するように内折りとした状態で、包装シートの上面に載置し、長手方向に複数回に折り畳み両側縁の開口部を封止したことを特徴とする個装吸収性物品。
【発明の詳細な説明】
【技術分野】
【０００１】
本発明は、経血やおりものなどを吸収するための生理用ナプキン、パンティライナー、失禁パッド等の吸収性物品、詳しくは体圧を受けても復元性に優れ、フィット性を持続し続ける中高部を備えた吸収性物品及びその個装吸収性物品に関する。
【背景技術】
【０００２】
従来より、生理用ナプキン、パンティライナー、失禁パッドなどの吸収性物品としては、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品にも幾多の改良が重ねられ、体液の漏れを防止するための手段が種々講じられている。これら体液漏れ防止手段の一つとして、排血部に吸収体の厚みを増厚した中高部を形成し、局部との密着性を向上させる技術が存在する。近年は、この中高部の構造に関しても、種々の改良が試みられている。
【０００４】
例えば、下記特許文献１では、排出された体液が、吸収性物品の中高部に吸収性される前及び／又は後に、吸収性物品の幅方向へ移動するのを防止するために、表面シート、裏面シート、及びこれらの両シート間に介在された吸収体を具備し、該吸収体が中高部を有しており、実質的に縦長に形成された吸収性物品において、前記中高部の両側縁に沿って前後方向に延びる、一対の防漏クッション堤を設けたものが提案されている。
【０００５】
また、下記特許文献２では、吸収性物品の幅方向中央部に使用面側に隆起した中高部の吸収量を増加することによって経血等の漏れを防止するために、透液性の表面シートと裏面シートとの間に吸収体が介在された幅方向中央部に、少なくとも排血部から臀裂部に至る範囲に亘って使用面側に隆起した中高部が形成された吸収性物品において、前記中高部は、前記表面シートと吸収体との間に配置された上層吸収体と、該上層吸収体の下面側に配置された体液伝達シートとによって構成され、前記上層吸収体には、前記表面シート側から多数のエンボスが付与され、前記体液伝達シートは、前記エンボスの付与による前記上層吸収体の圧縮部分の密度より高密度とされる吸収性物品が提案されている。
【先行技術文献】
【特許文献】
【０００６】
【特許文献１】特開２００６−３４６３０５号公報
【特許文献２】特開２０１０−５７５２６号公報
【発明の概要】
【発明が解決しようとする課題】
【０００７】
先ず、一般的な中高部の場合は、吸収体と同じ材料、すなわちパルプ繊維を主体とする繊維により構成されており、大きな体圧を受けパルプ繊維が圧縮されると、復元性に乏しいため元の形状に戻らず、局部に対するフィット性や密着性が低下し、横漏れが生じることがあった。前記特許文献１記載の発明は、中高部の両側縁に沿って前後方向に延びる、一対の防漏クッション堤を設けることで横方向への漏れを防止するものであるが、前記防漏クッション堤が著しく装着感を低下させるという問題点があった。更に、前記特許文献２記載の発明は、中高部の吸収量を増加させうる点で優れているものの、中高部が高密度に圧縮されるため、中高部の硬さが増し装着感が損なわれる。また、やはり大きな体圧を受けパルプ繊維が圧縮されると、復元性に乏しいため元の形状に戻らず、局部に対するフィット性や密着性が低下するという問題があった。
【０００８】
そこで本発明の主たる課題は、柔軟に局部にフィットすることが可能で装着感を損なわず、大きな体圧を受けても復元性に優れ、局部に対するフィット性を維持し得る中高部構造とした吸収性物品およびその個装吸収性物品を提供することにある。
【課題を解決するための手段】
【０００９】
上記課題を解決するために請求項１に係る本発明として、透液性の表面シートと裏面シートとの間に、吸収体が介在されるとともに、体液排出部位であって表面側の幅方向中央部に中高部を有する吸収性物品であって、
前記中高部は、シート材料を交互に山折りと谷折りとを繰り返しながら多重に折り返して蛇腹状とし、取付け状態で基端側となる折返し部において先端部同士を互いに接合し、かつ前記基端側となる折返し部から先端側となる折返し部に向かう面同士が互いに対面する部位において前記基端側となる折返し部から前記先端側となる折返し部に向かう中間点までの区間を接合し、
前記基端側となる折返し部の接合点から両側の外側面の中間までの範囲を表面シート上に接合し、吸収性物品の展開状態で、前記基端側となる折返し部の接合点を中心として複数の中空セルが放射状に連接した断面形状となるようにしたことを特徴とする吸収性物品が提供される。
【００１０】
上記請求項１記載の発明は、中高部の構造を、シート材料を交互に山折りと谷折りとを繰り返しながら多重に折り返して蛇腹状とし、取付け状態で基端側となる折返し部において先端部同士を互いに接合し、かつ前記基端側となる折返し部から先端側となる折返し部に向かう面同士が互いに対面する部位において前記基端側となる折返し部から前記先端側となる折返し部に向かう中間点までの区間を接合し、前記基端側となる折返し部の接合点から両側の外側面の中間までの範囲を表面シート上に接合し、吸収性物品の展開状態で、前記基端側となる折返し部の接合点を中心として複数の中空セルが放射状に連接した断面形状となるようにしたものである。
【００１１】
上記構造の中高部は、柔軟に局部にフィットすることが可能で装着感を損なわない。また、各中空セル同士を接着している複数の側壁部が支柱となっているため、一般的なパルプ繊維からなる中高部よりも体圧を受けても復元性を有し、局部に対するフィット性を維持し得るようになるとともに、体圧によって潰された際、中空セル内部の空気が外へ排出されるため蒸れを防止できる。更には、前記中空セルは折り畳むことが可能であるとともに、展開させると扇状に拡がるため、個装状態で薄くでき、持ち運びがし易いなどの利点を有する。
【００１２】
なお、本発明の「前記基端側となる折返し部から前記先端側となる折返し部に向かう中間点までの区間を接合し、」との構成は、前記基端側となる折返し部から前記先端側となる折返し部に向かう中間点までの全区間を接合する場合の他、前記基端側となる折返し部から前記先端側となる折返し部に向かう中間点までの区間の内、間の部分を非接合とし、前記中間点となる部分を接合する態様とを含むものである。
【００１３】
請求項２に係る本発明として、前記シート材料は、少なくとも吸収シートと表面材とを貼り合わせた積層シート材料とする請求項１記載の吸収性物品が提供される。
【００１４】
上記請求項２記載の発明は、前記シート材料として、少なくとも吸収シートと表面材とを貼り合わせた積層シート材料とするものである。前記表面材としては、不織布や多孔のプラスチックシート（メッシュシート）とすることができ、多孔のプラスチックシートとした場合は、吸収シートとの間に親水性不織布からなるセカンドシートを介在させるのが望ましい。前記吸収シートとしては、エアレイドパルプ不織布やこれに化学繊維を混合し熱融着したものなどを使用することで、体液の吸収が図れるようになっている。
【００１５】
請求項３に係る本発明として、前記シート材料は、透液性の不織布又はスポンジシートと、表面材とを貼り合わせた積層シート材料とする請求項１記載の吸収性物品が提供される。
【００１６】
上記請求項３記載の発明は、前記シート材料として、透液性の不織布又はスポンジシートと、表面材とを貼り合わせた積層シート材料とするものである。本態様は、中高部では吸収性を持たせず、周囲に吸収体に体液を吸収させる技術思想の下、中高部を構成する材料としては、透液性の素材を用いるものである。
【００１７】
請求項４に係る本発明として、前記中高部の前端部及び後端部は長手方向に沿う傾斜面とされ、前記表面シートの中高部配置部位にスリット状の通孔を形成し、前記中高部の上部側のみを前記スリット状の通孔を通して外部に露出させてある請求項１〜３いずれかに記載の吸収性物品が提供される。
【００１８】
上記請求項４記載の発明は、前記中高部の前端部及び後端部は、肌との当たりを考えて長手方向に沿う傾斜面とするのが望ましい。しかし、この場合は、前端縁及び後端縁が肌に当たって痛みを感じることがあるため、この前後端縁を隠すために、前記表面シートの中高部配置部位にスリット状の通孔を形成し、前記中高部の上部側のみを前記スリット状の通孔を通して外部に露出させるようにしたものである。なお、前記一方側の折返し部の接合点から両側の外側面の中間までの範囲を表面シート上に接合し、吸収性物品の展開状態で、前記一方側の折返し部の接合点を中心とする複数の中空セルを放射状に連接した断面形状とする点は同様である。
【００１９】
請求項５に係る発明として、前記中高部の前端部及び後端部は長手方向に沿う傾斜面とされ、前記表面シート及び吸収体の中高部配置部位にスリット状の通孔を形成し、前記中高部の上部側のみを前記スリット状の通孔を通して外部に露出させてある請求項１〜３いずれかに記載の吸収性物品が提供される。
【００２０】
上記請求項５記載の発明は、前記中高部の前端部及び後端部は、肌との当たりを考えて長手方向に沿う傾斜面とするのが望ましいが、この場合は、前端縁及び後端縁が肌に当たって痛みを感じることがあるため、この前後端縁を隠すために、前記表面シート及び吸収体の中高部配置部位にスリット状の通孔を形成し、前記中高部の上部側のみを前記スリット状の通孔を通して外部に露出させるようにしたものである。
【００２１】
請求項６に係る発明として、請求項１〜５いずれかに記載の吸収性物品を幅方向中央位置で長手方向に沿って表面シート同士が対面するように内折りとした状態で、包装シートの上面に載置し、長手方向に複数回に折り畳み両側縁の開口部を封止したことを特徴とする個装吸収性物品が提供される。
【００２２】
上記請求項６記載の発明は、本発明の吸収性物品の好ましい個装形態を示したものである。前述したように、本吸収性物品の場合は、前記中空セルは折り畳むことが可能であるとともに、展開させると扇状に拡がるため、吸収性物品を幅方向中央位置で長手方向に沿って表面シート同士が対面するように内折りとした状態で（この状態で、前記中空セルは折り畳まれた状態にある。）、包装シートの上面に載置し、長手方向に複数回に折り畳み両側縁の開口部をヒートシール、接着剤等により封止したものである。中高部に嵩がないため、個装状態で薄くでき、持ち運びがし易い。
【発明の効果】
【００２３】
以上詳説のとおり本発明によれば、柔軟に局部にフィットすることが可能で装着感を損なわず、大きな体圧を受けても復元性に優れ、局部に対するフィット性を維持し得る中高部構造を備えた吸収性物品を得ることができる。
【図面の簡単な説明】
【００２４】
【図１】本発明に係る生理用ナプキン１の一部破断展開図である。
【図２】その裏面図である。
【図３】図１のIII−III線矢視図である。
【図４】図１のIV−IV線矢視図である。
【図５】中高部６の製作要領を示す、(A)は展開図、(B)は折り畳み断面を示す模式図、(C)は変形例に係る折り畳み断面を示す模式図である。
【図６】中高部６の断面図である。
【図７】中高部６の傾斜面処理の例を示す要部展開図である。
【図８】中高部６の前後端を隠す場合の第１態様を示す縦断面図である。
【図９】中高部６の前後端を隠す場合の第２態様を示す、(A)は吸収体平面図、(B)は組合せ要領である。
【図１０】中高部６の前後端を隠す場合の第２態様を示す縦断面図である。
【図１１】本生理用ナプキン１の個装要領を示す図（その１）である。
【図１２】本生理用ナプキン１の個装要領を示す図（その２）である。
【図１３】本生理用ナプキン１の個装要領を示す図（その３）である。
【発明を実施するための形態】
【００２５】
以下、本発明の実施の形態について図面を参照しながら詳述する。
【００２６】
〔生理用ナプキン１の基本構造〕
本発明に係る生理用ナプキン１は、ポリエチレンシートなどからなる不透液性の裏面シート２と、経血やおりものなどを速やかに透過させる透液性の表面シート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記裏面シート２と表面シート３との外縁部がホットメルトなどの接着剤やヒートシール等の接着手段によって接合され、またその両側縁部では吸収体４よりも側方に延出している前記裏面シート２と、前記立体ギャザーＢＳを形成しているサイド不織布７とがホットメルトなどの接着剤やヒートシール等の接着手段によって接合され、これら裏面シート２とサイド不織布７とによる積層シート部分によって側方に突出するウイング状フラップＷ、Ｗが形成されるとともに、これよりも臀部側に位置する部分にヒップホールド用フラップＷＢ、ＷＢが形成され、かつ前記吸収体４の裏面側の本体ズレ止め粘着剤層１１と各ウイング状フラップＷ、Ｗの裏面側のウイングズレ止め粘着剤層１２、１２と各ヒップホールド用フラップＷＢ、ＷＢの裏面側のヒップズレ止め粘着剤層１３、１３とが形成されるとともに、これら本体ズレ止め粘着剤層１１、ウイングズレ止め粘着剤層１２及びヒップズレ止め粘着剤層１３が剥離紙３０（３０Ａ〜３０Ｃ）によって剥離可能に覆われている。なお、前記剥離紙３０は、剥離し易いように、隅角部を斜めにカットする隅切りを行うようにしてもよい。
【００２７】
以下、さらに前記生理用ナプキン１の構造について詳述すると、
前記裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記吸収体４が配設される前記裏面シート２の非使用面側（外面）には、図２に示されるように、１または複数条の本体ズレ止め粘着剤層１１が形成されるとともに、前記ウイング状フラップＷ、Ｗを形成する前記裏面シート２の非使用面側（外面）には、それぞれウイングズレ止め粘着剤層１２、１２が形成され、前記ヒップホールド用フラップＷＢ、ＷＢを形成する前記裏面シート２の非使用面側（外面）には、それぞれヒップズレ止め粘着剤層１３、１３が形成され、身体への装着時に生理用ナプキン１を下着に固定するようになっている。前記裏面シート２としては、プラスチックフィルムと不織布とを積層させたポリラミ不織布を用いてもよい。
【００２８】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記表面シート３に多数の透孔を形成した場合には、経血やおりもの等（以下、まとめて体液という。）が速やかに吸収されるようになり、ドライタッチ性に優れたものとなる。
【００２９】
前記吸収体４は、少なくともパルプ繊維を含有し、任意に合成繊維を混合することができる。合成繊維を混合する場合は、前記パルプ繊維：合成繊維との比率を重量換算で８０〜２０：２０〜８０、好ましくは４０〜６０：６０〜４０で混合したものが望ましい。
【００３０】
前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができ、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３１】
前記吸収体４は高吸水性樹脂を含有することができる。前記高吸収性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。配合量を多くすると所謂ゲルブロッキング現象が起きるため、パルプ繊維及び合成繊維の合計重量に対して重量換算で１〜１０％の割合で配合するのが望ましい。なお、高吸水性樹脂含有率が５０％を超える場合にはパルプ繊維間の絡み合いが無くなり、シート強度が低下し破れや割れ等が発生し易くなるため望ましくない。
【００３２】
前記パルプ繊維は、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３３】
一方、前記透液性表面シート３の幅寸法は、図示例では、図３および図４の横断面図に示されるように、吸収体４の幅よりも若干長めとされ、吸収体４を覆うだけに止まり、前記立体ギャザーＢＳは前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１０〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３４】
前記サイド不織布７は、図３および図４に示されるように、幅方向中間部より外側部分を吸収体４の内側位置から吸収体側縁を若干越えて不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイング状フラップＷ、Ｗを形成するとともに、これより臀部側位置にヒップホールド用フラップＷＢ、ＷＢを形成している。これらウイング状フラップＷ、Ｗおよびヒップホールド用フラップＷＢ、ＷＢの外面側にはそれぞれ粘着剤層１２…，１３…を備え、ショーツに対する装着時に、前記ウイング状フラップＷ、Ｗを折返し線ＲＬ近傍位置にて反対側に折り返し、ショーツのクロッチ部分に巻き付けて止着するとともに、ヒップホールド用フラップＷＢ、ＷＢをショーツの内面に止着するようになっている。
【００３５】
一方、前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図４に示されるように、断面Ｚ状に折り畳んで積層された状態で吸収体４側に接着されることによって、図３に示されるように、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００３６】
本生理用ナプキン１では、体液排出部位であって表面側の幅方向中央部に中高部６を有する。
【００３７】
〔中高部６について〕
以下、中高部６について詳述する。
【００３８】
前記中高部６は、図５(A)に示されるように、シート材料１０を交互に山折りと谷折りとを繰り返しながら多重に折り返して蛇腹状とし、次いで図５(B)に示されるように、取付け状態で基端側となる折返し部８において先端部８ａ、８ａ…同士を接着剤１４、１４…により接合し、かつ前記基端側となる折返し部８から先端側となる折返し部９に向かう面同士が互いに対面する部位において前記基端側となる折返し部８から前記先端側となる折返し部９に向かう中間点までの区間を接着剤１５，１５により接合したものである。接合態様は、図５(B)に示されるように、折返し部８から中間点までの全区間を接着剤１５により接合する場合の他、図５(C)に示されるように、中間点までの区間の内、間の部分を非接合とし、前記中間点となる部分を接合する態様とを含むものである。
【００３９】
そして、図６に示されるように、前記基端側となる折返し部８の接合点１７（束部）から両側の外側面の中間までの範囲１８，１８を表面シート３上に接合し、生理用ナプキン１の展開状態で、前記基端側となる折返し部８の接合点１７を中心として複数の中空セル６Ａ〜６Ｃが放射状に連接した断面形状となるようにしたものである。
【００４０】
前記シート材料１０としては、少なくとも吸収シートと表面材とを貼り合わせた積層シート材料、具体的には、吸収シートと、表面材とからなる２層構造のシート材料や、吸収シートと、表面材と、前記吸収シートと表面材との間に親水性不織布からなるセカンドシートを介在させた３層構造のシート材料などを使用することができる。
【００４１】
前記吸収シートとしては、例えばエアレイドパルプ不織布やこれに化学繊維を混合し熱融着したものなどを好適に使用することができる。
【００４２】
前記表面材としては、無孔又は多孔の不織布や多孔のプラスチックシート（メッシュシート）とすることができ、多孔のプラスチックシートとした場合は、吸収シートとの間に親水性不織布からなるセカンドシートを介在させるのが望ましい。セカンドシートの不織布種別としては、嵩のあるエアスルー不織布が望ましい。
【００４３】
前記シート材料１０としては、吸収シートを用い吸収性能を持たせる場合の他、周囲に吸収体４に体液を吸収させる技術思想の下、中高部を構成する材料としては、吸収性を有さず、液透液性の素材を用いるようにしてもよい。この場合は、透液性の不織布又はスポンジシートと、表面材とを貼り合わせた積層シート材料とするのがよい。
【００４４】
前記中高部６の製作要領の前述したとおりであるが、装着感を良好とするために、前記中高部６の前端部及び後端部は長手方向に沿う傾斜面６ａ、６ｂとしている。その展開図では、図５(A)に示すように、両側縁部に横Ｖ字状の切欠きが中空セル毎に形成されたシート材料１０を使用することになるが、前記傾斜面６ａ、６ｂは、方形のシート材料１０を交互に山折りと谷折りとを繰り返しながら多重に折り返して蛇腹状とした後、束ねた状態で端部を斜めに裁断して形成することも可能である。また、前記傾斜面６ａ、６ｂが切り口のままとなっていると、肌に対する当たりが強くなり、装着感を損なうため、図７に示されるように、方形のシート材料１０を用い、各中空セル６Ａ〜６Ｃの側縁中央から切込み１０ａを入れ、三角形部分を裏面側に折り返すようにしてもよい。
【００４５】
また、前記中高部６は、図６に示されるように、各中空セル６Ａ〜６Ｃが膨らみを持った状態とするのが望ましいが、本形態例のように、吸収シートを含んだ厚みのあるシート材料１０を使用した場合、先端側となる折返し部９の折り癖が強いと先端側に膨らみが出づらい。そこで、図５(A)に示されるように、各中空セル６Ａ〜６Ｃの構成部分において、前記先端側となる折返し部９の折り線を跨ぐように、例えば平面視で矩形状を成す、Ｖ溝状の刻印エンボスライン１６を形成するのが望ましい。これにより、前記先端側となる折返し部９の折り線の折り癖が緩和され、模式的には、図６に示されるように、先端面が膨出形状をした中空セル６Ａ〜６Ｃとすることが可能となる。
【００４６】
ところで、中高部６の前後部に夫々、前記傾斜面６ａ、６ｂを設けたことによって、前端縁及び後端縁が肌に当たって痛みを感じることがあるため、この前後端縁を隠し、肌に当たらないようにすることで装着感を向上させるのが望ましい。この場合の第１の態様としては、図８に示されるように、前記表面シート３の中高部配置部位にスリット状の通孔３ａを形成し、前記中高部６の上部側のみを前記スリット状の通孔３ａを通して外部に露出させるようにする。第２の態様としては、図９(A)に示されるように、吸収体４の中高部配置部位にスリット状の通孔４ａを形成し、図９(B)に示されるように、前記中高部６の上部側のみを前記スリット状の通孔４ａを通して外部に露出させるようにし、次いで、図１０に示されるように、表面シート３にも同様に、中高部配置部位にスリット状の通孔３ａを形成し、前記中高部６の上部側のみを前記スリット状の通孔３ａを通して外部に露出させるようにする。なお、前記第１態様及び第２態様においても、前記一方側の折返し部８の接合点１７から両側の外側面の中間までの範囲１８，１８を表面シート３上に接合し、ナプキン１の展開状態で、前記一方側の折返し部８の接合点１７を中心とする複数の中空セル６Ａ〜６Ｃを放射状に連接した断面形状とする点は同様である。
【００４７】
一方、本生理用ナプキン１の場合は、前記基端側となる折返し部８の接合点１７を中心に、前記中空セル６Ａ〜６Ｃは蛇腹状に折り畳むことが可能であるとともに、展開させると扇状に拡がるため、個装に当たっては、図１１に示されるように、生理用ナプキン１を幅方向中央位置の折り線Ｋで長手方向に沿って表面シート３同士が対面するように内折りとした状態で（この状態で、前記中空セル６Ａ〜６Ｃは折り畳まれた状態にある。）、包装シート２１の上面に載置する。この状態では、図１２に示されるように、包装シート２１の両側縁部分は、ヒートシール代として数mm〜数十mmが確保されている。そして、長手方向に複数回折り畳むようにする。図示例は、Ａ、Ｂ、Ｃの順で四つ折りに折り畳んでいる。その後、図１３に示されるように、両側縁の開口部２１ｂ、２１ｂをヒートシールにより封止し、タグテープ２２によりシート端縁を仮止めする。本生理用ナプキン１の場合は、中高部６を折り畳むことができ、個装状態で薄くできるため、持ち運びし易いものとなる。
【００４８】
〔他の形態例〕
(1)上記形態例では、中高部６を３つの中空セル６Ａ〜６Ｃによって構成したが、中空セル数は任意であり、２つ、或いは４以上とすることも可能である。好ましいのは、３〜５個の中空セル数である。
【符号の説明】
【００４９】
１…生理用ナプキン、２…裏面シート、３…表面シート、４…吸収体、５…クレープ紙、６…中高部、６Ａ〜６Ｃ…中空セル、６ａ・６ｂ…傾斜面、７…サイド不織布、８…基端側となる折返し部、９…先端側となる折返し部、１０…シート材料、１１…本体ズレ止め粘着剤層、１２…ウイングズレ止め粘着剤層、１３…ヒップズレ止め粘着剤層、１４・１５…接着剤、２１…包装シート、ＢＳ…立体ギャザー、Ｓ…個装シート、Ｗ…ウイング状フラップ、ＷＢ…ヒップホールド用フラップ
【図１】
0005528953.tif 000002
【図２】
0005528953.tif 000003
【図３】
0005528953.tif 000004
【図４】
0005528953.tif 000005
【図５】
0005528953.tif 000006
【図６】
0005528953.tif 000007
【図７】
0005528953.tif 000008
【図８】
0005528953.tif 000009
【図９】
0005528953.tif 000010
【図１０】
0005528953.tif 000011
【図１１】
0005528953.tif 000012
【図１２】
0005528953.tif 000013
【図１３】
0005528953.tif 000014